(57)【要約】【課題】汎用性を高めたコンピュータシステムの管理方法，オペレーションシステム，及びこれを実行するネットワークサーバを提供する。【解決手段】コンピュータシステム１０３を構成する装置の構成情報をテンプレートデータ１０５としてオペレーションシステム１０１構築時に設定し，保持し，新たに監視対象とするコンピュータシステム１０３からその装置の構成情報を取得し，コンピュータシステムを構成する装置の実装位置を確認する。そして，確認した装置の実装位置をキーとして，装置構成情報のテンプレートデータ１０５から該当する実装位置の情報を取得し，実装位置毎のテンプレートデータに基づき，コンピュータシステム毎の装置の構成情報データ１０６を構築し，表示対象とするコンピュータシステム１０３毎の装置の構成情報データ１０６の読み出しを行い，ＨＭＩ端末１０２に表示する。【選択図】　図１
2004126862.tif 000002
【特許請求の範囲】
【請求項１】
コンピュータシステムを管理する方法であって，
コンピュータシステムを構成する装置の構成情報をテンプレートデータとしてオペレーションシステム構築時に設定し，保持する段階と，
新たに監視対象とするコンピュータシステムからその装置の構成情報を取得し，前記コンピュータシステムを構成する装置の実装位置を確認する段階と，
前記確認した装置の実装位置をキーとして，前記装置構成情報のテンプレートデータから該当する実装位置の情報を取得する段階と，
前記実装位置毎のテンプレートデータに基づき，コンピュータシステム毎の装置の構成情報データを構築する段階と，
表示対象とするコンピュータシステム毎の装置の構成情報データの読み出しを行い，ＨＭＩ端末に表示する段階と，
を含むことを特徴とする，コンピュータシステムの管理方法。
【請求項２】
さらに，前記監視対象のコンピュータシステムからその構成装置の状態の変更を受信し，装置状態情報の更新を行う段階を含むことを特徴とする，請求項１に記載のコンピュータシステムの管理方法。
【請求項３】
複数の装置から構成されるコンピュータシステムを管理することを特徴とする，請求項１または２のうちのいずれか１項に記載のコンピュータシステムの管理方法。
【請求項４】
複数種の装置から構成されるコンピュータシステムを管理することを特徴とする，請求項１，２，または３のうちのいずれか１項に記載のコンピュータシステムの管理方法。
【請求項５】
前記装置の構成情報データが，コンピュータシステム毎の実装位置，表示位置，シンボル情報，及び状態取得方法のうちのいずれか１以上からなることを特徴とする，請求項１，２，３，または４のうちのいずれか１項にに記載のコンピュータシステムの管理方法。
【請求項６】
請求項１，２，３，４，または５のうちのいずれか１項に記載のコンピュータシステムの管理方法を実現するオペレーションシステム。
【請求項７】
請求項６に記載のオペレーションシステムを有するネットワークサーバ。
【発明の詳細な説明】
【０００１】
【発明の属する技術分野】
本発明は，複数の装置から構成されるコンピュータシステムの管理方法，オペレーションシステム，及びネットワークサーバに関する。
【０００２】
【従来の技術】
オペレーションシステムはコンピュータシステムを運用するためのシステムであり，ネットワーク上では，ネットワークサーバによって運用されて，ネットワーク全体の機器や接続，アプリケーションなどを監視，管理する。コンピュータネットワークシステムの構成状態を表示するためのＨＭＩ（Ｈｕｍａｎ　Ｍａｃｈｉｎｅ　Ｉｎｔｅｒｆａｃｅ）端末では，その監視対象となるコンピュータシステム，及び，コンピュータシステムを構成する各装置の構成情報の関係などが表示される。
【０００３】
ＨＭＩ端末のオペレーションシステムにおいて監視対象となるコンピュータシステムや，コンピュータシステムを構成する構成装置情報の表示を行うことは，的確なオペレーションを行う上では必要不可欠である。このため，オペレーションシステムは，その監視対象となるコンピュータシステム，及びコンピュータシステムを構成する各装置の状態を把握し，監視対象とするコンピュータシステムの構成情報を，オペレーションシステム内の管理情報として生成する。
【０００４】
コンピュータシステム及びこれを構成する各装置の状態取得は，オペレーションシステムからコンピュータシステムヘの状態取得要求の応答，もしくはコンピュータシステムからオペレーションシステムヘの自発的な状態通知により行われる。このうような機構により取得された装置構成情報データは，オペレーションシステムによって管理され，ＨＭＩ端末で表示される。
【０００５】
【発明が解決しようとする課題】
しかし，上記従来の状態取得方法や，オペレーションシステムからＨＭＩ端末への表示機構は，監視対象となるコンピュータシステムや，コンピュータシステムを構成する各装置により相違する。コンピュータシステムを構成する装置構成情報に関しては，監視対象となるコンピュータシステムの種別，または，コンピュータシステムを構成する各装置の実装状態により，一意となるものではない。
【０００６】
コンピュータシステムの構成装置の実装状態が異なる場合には，コンピュータシステム毎にオペレーションシステムの装置構成を画面に表示する際に，表示イメージ，表示名称，表示位置などの情報の登録が必要となる。このため従来は，監視対象となるコンピュータシステム毎に画面から登録などを行ってこれを実現していた。
【０００７】
従って，監視対象となるコンピュータシステムの種類によらず，画一的な装置状態データによる管理を行って汎用性を高めた管理方法が求められていた。画一的な装置状態データによる管理によれば，ＨＭＩ端末への表示機構についても汎用性が高まることになる。
【０００８】
そこで本発明は，画一的な管理を行って汎用性を高めたコンピュータシステムの管理方法，オペレーションシステム，及びこれを実行するネットワークサーバを提供することを目的とする。
【０００９】
【課題を解決するための手段】
上記目的を達成するための本発明のコンピュータシステムを管理する方法は，まず，コンピュータシステムを構成する装置の構成情報をテンプレートデータとしてオペレーションシステム構築時に設定し，保持する。そして，新たに監視対象とするコンピュータシステムからその装置の構成情報を取得し，コンピュータシステムを構成する装置の実装位置を確認する。そして，確認した装置の実装位置をキーとして，装置構成情報のテンプレートデータから該当する実装位置の情報を取得する。そして，実装位置毎のテンプレートデータに基づき，コンピュータシステム毎の装置の構成情報データを構築し，表示対象とするコンピュータシステム毎の装置の構成情報データの読み出しを行い，ＨＭＩ端末にて表示する。
【００１０】
さらに，監視対象のコンピュータシステムからその構成装置の状態の変更を受信し，装置状態情報の更新を行ってもよい。
【００１１】
【発明の実施の形態】
以下に，本発明のいくつかの実施の形態を，図面を用いて説明する。
【００１２】
（第１の実施の形態）
図１は，本発明の第１の実施の形態を示す構成図である。オペレーションシステム（１０１）は，新たなコンピュータシステム（１０３）を監視対象とする。オペレーションシステム（１０１）は，新たに監視対象とするコンピュータシステム（１０３）から，その装置構成情報の取得を行う。
【００１３】
オペレーションシステム（１０１）では，新たに監視対象とするコンピュータシステム（１０３）から取得した装置構成情報によって構成装置の実装位置を決定する。そして，実装位置に従った装置構成情報テンプレート情報（１０５）の読み出しを行い，監視対象とするコンピュータシステム毎の装置構成情報データ（１０６）の生成を行う。
【００１４】
オペレーションシステム（１０１）に接続されるＨＭＩ端末（１０２）に表示される，装置構成を表示するための画面には，コンピュータシステム（１０３）毎の装置構成情報データ（１０６）から読み出した各構成装置の表示位置（画面上のＸ軸，Ｙ軸）や，表示イメージ，表示名称などの情報に従ってコンピュータシステム（１０３）の装置構成が表示される。
【００１５】
図２は，第１の実施の形態における，データベースの構成図である。コンピュータシステム（１０３）を構成する装置の実装位置として，１〜ｎが存在するとする（但し，ｎは自然数）。装置構成情報テンプレートデータ（１０５）としては，構成装置の実装位置をデータの識別子（キー情報）としたｎ個の実装位置に対応する装置構成情報テンプレートデータ（１０５）をあらかじめ用意する。
【００１６】
用意する装置構成情報テンプレート情報（１０５）には，コンピュータシステム（１０３）を構成する各装置が実装され得る位置をキーとして識別子とするレコードが用意される。
【００１７】
各レコードには，コンピュータシステム（１０３）の構成情報を表示する際に，構成装置を表示する位置に関する情報，表示にあたって使用する装置を表す表示イメージの情報へのリンク番号，構成装置の状態取得の手段等の情報を記述する。表示イメージは，テンプレート情報の関連情報を具備し，各装置の状態に対応する表示イメージを用意することで，装置状態に応じたイメージの表示が可能になる。装置状態の変更の表示が不要な場合は，一つのイメージファイルのみを用意することでも対応可能である。
【００１８】
装置構成情報テンプレートデータ（１０５）には，オペレーションシステム（１０１）の装置構成を表示する画面に，１〜ｎの装置を表示するＸ軸，Ｙ軸上の位置（Ｘ１，Ｙ１）〜（Ｘｎ，Ｙｎ）に，表示の際に使用するイメージファイル番号を記述する。イメージファイル番号は，イメージファイル情報（１０７）とリンクさせる。
【００１９】
イメージファイル情報（１０７）には，イメージファイル番号に対応するイメージファイル名を設定する。なお，イメージファイル情報（１０７）には，装置の状態に応じて表示イメージを変更するための状態番号を設定することが可能であるが，第１の実施の形態では固定のイメージのみを表示し，状態番号の設定は行っていない。
【００２０】
装置構成情報テンプレートデータ（１０５）の関連情報として用意するイメージファイル情報（１０７）に，装置の状態に応じた複数のイメージファイル名称を設定することで，コンピュータシステム（１０３）の構成装置の状態に応じたイメージを表示することが可能となる。
【００２１】
オペレーションシステム（１０１）では，新たに監視対象となるコンピュータシステム（１０３）から構成装置の実装の有無を確認し，１〜ｎの実装位置のうち，ｍ及びｌ（但し，１≦ｍ≦ｎ，１≦ｌ≦ｎ）の実装位置が実装有りであることを確認する。
【００２２】
構成装置の実装位置を確認した後，装置構成情報テンプレートデータ（１０５）より実装位置ｍ及びｌの情報を取得し，監視対象とするコンピュータシステム（１０３）毎の装置構成情報データ（１０６）の生成を行う。
【００２３】
監視対象となる装置構成情報データ（１０６），及びイメージファイル情報（１０７）から，コンピュータシステム（１０３）を構成する各装置の表示イメージファイル名，表示位置，状態表示方法などの情報を収集する。そして，オペレーションシステム（１０１）に接続されるＨＭＩ端末（１０２）上の装置構成を表示するための画面上に表示する（図２）。
【００２４】
図３は，第１の実施の形態における，オペレーションシステムの動作フロー図である。段階Ｓ０１で，コンピュータシステム（１０３）を構成する装置構成のテンプレート（実装位置，表示位置，シンボル情報，状態取得方法など）の情報を，装置構成情報テンプレートデータ（１０５）としてオペレーションシステム（１０１）構築時に設定し，保持する（Ｓ０１）。段階Ｓ０２で，オペレーションシステム（１０１）では，新たに監視対象とするコンピュータシステム（１０３）より装置構成情報を取得し，コンピュータシステム（１０３）を構成する装置の実装位置を確認する（Ｓ０２）。
【００２５】
段階Ｓ０３で，確認した装置の実装位置をキーとして，装置構成情報テンプレートデータ（１０５）から該当する実装位置の情報を取得し（Ｓ０３），段階Ｓ０４で，実装位置毎のテンプレートデータに基づき，コンピュータシステム（１０３）毎の装置構成情報データ（１０６）を構築する（Ｓ０４）。
【００２６】
段階Ｓ０５で，表示対象のコンピュータシステム（１０３）の装置構成情報データ（１０６）の読み出しを行い，ＨＭＩ端末（１０２）上の装置構成情報を表示するための画面で，装置構成の表示を行う（Ｓ０５）。
【００２７】
コンピュータシステムの監視にあたっては，監視対象とするコンピュータシステムを構成する装置構成情報をオペレーションシステム内に構築する必要がある。第１の実施の形態では，監視対象とするコンピュータシステムの種別毎に用意した装置構成情報テンプレートデータを使用して，監視対象とするコンピュータシステムの，表示方法を含めた装置構成情報を生成する。このため，装置構成を表示する画面では，装置構成情報データより構成装置のイメージファイルの表示位置を読み出し，画面上に配置するだけの機能を具備していればよい。
【００２８】
以上の方法を用いれば，監視対象となるコンピュータシステムの種別が複数存在する場合にも，ネットワークサーバなどにコンピュータ種別毎の装置構成情報テンプレートを用意することにより，監視対象とするコンピュータシステムの種別に関わらず，画一的な装置構成情報生成手段，及びコンピュータシステムの装置構成表示手段を確立することができる。
【００２９】
（第２の実施の形態）
図４は，本発明の第２の実施の形態を示す構成図である。オペレーションシステム（２０１）は，新たなコンピュータシステム（２０３）を監視対象とする。オペレーションシステム（２０１）は，接続されるＨＭＩ端末（２０２）上の装置構成を表示するための画面で，監視対象のコンピュータシステム（２０３）の装置構成，及び各装置の状態を表示する。オペレーションシステム（２０１）で監視対象とするコンピュータシステム（２０３）の装置構成情報の生成方法は，第１の実施の形態と同様である。
【００３０】
第１の実施の形態と異なり，第２の実施の形態では，イメージ情報に設定するイメージファイル番号に対応したイメージファイルを，装置の状態に対応して複数用意する。設定に際しては，装置から収集する状態毎に番号を付与する。
【００３１】
図５は，第２の実施の形態における，データベースの構成図である。コンピュータシステム（２０３）を構成する装置の実装位置として，１〜ｎが存在するとする（但し，ｎは自然数）。装置構成情報テンプレートデータ（２０５）としては，構成装置の実装位置をデータの識別子（キー情報）としたｎ個の実装位置に対応するデータを用意する。
【００３２】
装置構成情報テンプレートデータ（２０５）には，オペレーションシステム（２０１）の装置構成を表示するための画面に，１〜ｎの装置を表示するＸ軸，Ｙ軸上の位置（Ｘ１，Ｙ１）〜（Ｘｎ，Ｙｎ）に，表示の際に使用するイメージファイル番号を記述する。イメージファイル番号は，イメージファイル情報（２０７）とリンクさせる。
【００３３】
オペレーションシステム（２０１）では，監視対象のコンピュータシステム（２０３）を構成する装置の状態を管理した，装置状態情報（２０８）を保持する。
【００３４】
イメージファイル情報（２０７）には，イメージファイル番号に対応するイメージファイル名を設定する。イメージファイル情報（２０７）には，装置の状態に応じて表示イメージの変更を行うための状態番号の設定を行う。状態番号は，装置状態情報（２０８）に設定されている値とリンクさせる。装置構成情報テンプレートデータ（２０６）は，構成装置の状態取得方法などが記述される。
【００３５】
オペレーションシステム（２０１）は，新たに監視対象とするコンピュータシステム（２０３）から構成装置の実装の有無を確認し，１〜ｎの実装位置のうち，ｍ及びｌ（但し，１≦ｍ≦ｎ，１≦ｌ≦ｎ）の実装位置が，実装有りであることを確認する。
【００３６】
構成装置の実装位置を確認した後，装置構成情報テンプレートデータ（２０５）から，実装位置ｍ及びｌの情報を取得し，監視対象とするコンピュータシステム（２０３）毎の装置構成情報データ（２０６）の生成を行う。
【００３７】
監視対象となる装置構成情報データ（２０６），及びイメージファイル情報（２０７）から，コンピュータシステム（２０３）を構成する各装置の表示イメージファイル名，表示位置，状態表示方法などの情報を収集する。そして，オペレーションシステム（２０１）に接続されるＨＭＩ端末（２０２）上の装置構成を表示するための画面上に表示する（図５）。
【００３８】
図６は，第２の実施の形態における，オペレーションシステムの動作フロー図である。段階Ｓ１１で，コンピュータシステム（２０３）を構成する装置構成のテンプレート（実装位置，表示位置，シンポル情報，状態取得方法など）の情報を，装置構成情報テンプレートデータ（２０５）としてオペレーションシステム（２０１）構築時に設定し，保持する（Ｓ１１）。オペレーションシステム（２０１）では，段階Ｓ１２で，新たに監視対象とするコンピュータシステム（２０３）から装置構成情報を取得し，コンピュータシステム（２０３）を構成する装置の実装位置を確認する（Ｓ１２）。
【００３９】
段階Ｓ１３で，確認した装置の実装位置をキーとして，装置構成情報テンプレートデータ（２０５）から該当する実装位置の情報を取得する（Ｓ１３）。そして，段階１５で，実装位置毎のテンプレートデータに基づき，コンピュータシステム（２０３）毎の装置構成情報データ（２０６）を構築する（Ｓ１４）。
【００４０】
オペレーションシステム（２０１）では，段階Ｓ１５で，監視対象のコンピュータシステム（２０３）からの構成装置の状態の変更を受信し，装置状態情報（２０８）を更新して，装置状態情報の蓄積を行う（Ｓ１５）。
【００４１】
段階Ｓ１６で，表示対象のコンピュータシステム（２０３）の装置構成情報データ（２０６），及び装置状態情報（２０８）の読み出しを行う。そして，ＨＭＩ端末（２０２）の装置構成情報を表示するための画面に，構成装置の状態に応じた装置構成，装置状態の表示を行う（Ｓ１６）。
【００４２】
コンピュータシステムとそれを構成する装置の状態を監視するオペレーションシステムにおいては，コンピュータシステムの装置構成を表示する際に，構成装置の状態をあわせて表示することで，オペレーションの価値は高まる。第２の実施の形態では，コンピュータシステムを構成する装置構成情報をオペレーションシステム内に構築する際に，状態の表示のための方法を含めた装置構成情報テンプレートを使用して，監視対象とするコンピュータシステム毎の装置構成情報を生成する。このため，装置構成を表示する画面は，装置構成情報データ，構成装置状態の情報より，構成装置状態に対応したイメージファイルの表示位置を読み出し，画面上に表示するだけの機能を具備していればよい。
【００４３】
以上の方法を用いれば，監視対象となるコンピュータシステムの種別が複数存在する場合にも，ネットワークサーバなどにコンピュータ種別毎の装置構成情報テンプレートを用意することにより，監視対象とするコンピュータシステムの種別に関わらず，画一的な装置構成情報生成手段，及びコンピュータシステムの装置構成及び状態の表示手段を確立することができる。
【００４４】
以上，添付図面を参照しながら本発明のコンピュータシステムの管理方法，オペレーションシステム，及びネットワークサーバの好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００４５】
【発明の効果】
本発明により，画一的な管理を行って汎用性を高めたコンピュータシステムの管理方法，オペレーションシステム，及びこれを実行するネットワークサーバを提供することができた。
【図面の簡単な説明】
【図１】図１は，本発明の第１の実施の形態を示す構成図である。
【図２】図２は，第１の実施の形態における，データベースの構成図である。
【図３】図３は，第１の実施の形態における，オペレーションシステムの動作フロー図である。
【図４】図４は，本発明の第２の実施の形態を示す構成図である。
【図５】図５は，第２の実施の形態における，データベースの構成図である。
【図６】図６は，第２の実施の形態における，データベースの構成図である。
【符号の説明】
１０１，２０１　　オペレーションシステム
１０２，２０２　　ＨＭＩ端末
１０３，２０３　　コンピュータシステム
１０４，２０４　　受信処理部
１０５，２０５　　装置構成情報テンプレートデータ
１０６，２０６　　装置構成情報データ
１０７，２０７　　イメージファイル情報
２０８　　装置状態情報
【図１】
2004126862.tif 000003
【図２】
2004126862.tif 000004
【図３】
2004126862.tif 000005
【図４】
2004126862.tif 000006
【図５】
2004126862.tif 000007
【図６】
2004126862.tif 000008